(57)【特許請求の範囲】
【請求項１】
乗客コンベアの乗降口の床下部に形成した機械室と、
建屋の床面に隣接して前記乗降口の床面に配され、前記機械室を閉塞する取り外し自在の乗降板と、
当該乗降板を支持する前記乗客コンベアの機枠とを備えてなる乗客コンベアにおいて、
前記乗降板は、金属板と金属板上面から突出する突出体とからなり、
前記金属板は、打ち抜き部を有し、
前記突出体は、金属板の打ち抜き部に嵌り込む形状の軟性板を備え、
前記軟性板の下方には軟性板を昇降させる昇降装置が配され、
前記昇降装置は、電流が流れている時には軟性板を降下させて金属板上面と軟性板上面とを面一の状態に維持させ、電流が流れていない時には軟性板を上昇させて金属板上面から突出させ、
乗客コンベアの正常運転時には昇降装置に電流を流し、乗客コンベアが緊急停止した時には昇降装置への電流を遮断する安全装置を備えてなる
ことを特徴とする乗客コンベア。
【請求項２】
前記昇降装置が、軟性板裏面に取り付けた磁石板と、前記磁石板の下方に適当間隔をあけて配置した電磁石と、前記磁石板と電磁石との間に磁石板を押し上げる伸張ばねとからなり、
電磁石に電流が流れているときには、電磁石と磁石板との吸引力により伸張ばねが収縮すると共に軟性板が降下して金属板上面と軟性板上面とが面一になる
ことを特徴とする請求項１に記載の乗客コンベア。
【請求項３】
前記伸張ばねがコイルスプリングである
ことを特徴とする請求項２に記載の乗客コンベア。
【請求項４】
前記伸張ばねが空気ばねである
ことを特徴とする請求項２に記載の乗客コンベア。
【請求項５】
前記磁石板と電磁石との間に間隔保持梁を備え、金属板上面より軟性板上面が降下しないようにした
ことを特徴とする請求項２に記載の乗客コンベア。
【発明の詳細な説明】
【技術分野】
【０００１】
本発明の実施形態は、乗客コンベアに関する。
【背景技術】
【０００２】
乗客コンベア、例えばエスカレータは、建屋の下階と上階との間に架け渡して据え付けられており、エスカレータの上下の端部の乗降口を通って乗客がエスカレータを乗り降りする。乗降口の床部には、乗客が乗降口に進入するときに踏み込む金属製の乗降板が敷設されている。このようなエスカレータや動く歩道等の乗客コンベアの乗降口に敷設された乗降板に対して、その安全性を高めることが考えられている。
【０００３】
エスカレータや動く歩道等の乗客コンベアにおける乗客の転倒の一因として、乗客コンベアが緊急停止した際の停止による転倒が挙げられる。乗客コンベアには、上記した金属製の乗降板が乗降口の床部に敷設されているため、乗客が転倒して乗降板に衝突した場合には、その衝撃により乗客が大きな損傷を負う場合がある。
【０００４】
従来より、乗客コンベアの乗降口部分の安全性を高める方法として、カーペットやマット等の乗降口カバーで乗降口の乗降板表面を覆う構成が知られており、この構成により、乗客が転倒した際の金属面に対する衝撃を緩和させることが考えられている。
【０００５】
上記従来のように乗降口カバーで乗降板の表面を覆う構成の場合には、当該乗降口カバーがめくれると、これに乗客がつまずくおそれがある。また、乗降板の表面は、美観を感じさせる効果及び滑り止めの効果を果たすために幾何学的な凹凸模様が施されているのが一般的であるが、乗降口カバーで乗降板の表面を覆ってしまうと乗降板が本来備えている美観を損ね、また滑り止め効果を果たすことができないという問題があった。
【先行技術文献】
【特許文献】
【０００６】
【特許文献１】特開平７−３００２８８号公報
【特許文献２】特開平７−２８５７７１号公報
【発明の開示】
【発明が解決しようとする課題】
【０００７】
本発明が解決しようとする課題は、カーペットやマット等の乗降口カバーのようにめくれて乗客がつまずくことなく、また、乗降板表面の美観を損ねず、乗降板表面の滑り止め効果が発揮でき、かつ乗客が転倒した時の衝撃緩和が可能となる乗降板を備えた乗客コンベアを提供することにある。
【課題を解決するための手段】
【０００８】
本発明の実施形態に係る乗客コンベアは、乗客コンベアの乗降口の床下部に形成した機械室と、建屋の床面に隣接して前記乗降口の床面に配され、前記機械室を閉塞する取り外し自在の乗降板と、当該乗降板を支持する前記乗客コンベアの機枠とを備えてなる乗客コンベアにおいて、前記乗降板は、金属板と金属板上面から突出する突出体とからなり、前記金属板は、打ち抜き部を有し、前記突出体は、金属板の打ち抜き部に嵌り込む形状の軟性板を備え、前記軟性板の下方には軟性板を昇降させる昇降装置が配され、前記昇降装置は、電流が流れている時には軟性板を降下させて金属板上面と軟性板上面とを面一の状態に維持させ、電流が流れていない時には軟性板を上昇させて金属板上面から突出させ、乗客コンベアの正常運転時には昇降装置に電流を流し、乗客コンベアが緊急停止した時には昇降装置への電流を遮断する安全装置を備えてなることを特徴とする。
【図面の簡単な説明】
【０００９】
【図１】本発明の実施例１に係るエスカレータの全体図である。
【図２】図１に示すエスカレータにおける乗降板を示す平面図である。
【図３】図２のＡ−Ａ断面図である。
【図４】図３の分解図である。
【図５】図３において突出体が上昇した状態を示す断面図である。
【図６】本発明の実施例２に係るエスカレータにおける乗降板の要部断面図である。
【図７】図６において突出体が上昇した状態を示す断面図である。
【図８】本発明の実施例３に係るエスカレータにおける乗降板の要部断面図である。
【図９】図８において突出体が上昇した状態を示す断面図である。
【発明を実施するための形態】
【００１０】
本発明の実施形態に係る乗客コンベアは、ステンレス等の金属製の乗降板の下に、軟性板が上端に取り付けられた突出体を設け、前記突出体はばね力及び磁力により昇降する昇降装置を備え、また、前記昇降装置に電流の流れを制御する安全装置を備え、乗客コンベアに異常が発生し緊急停止した時に安全装置が作動して突出体が上昇し、乗降板から軟性板が突出するように構成したものである。図１にエスカレータの全体図、図２〜図９に本発明の乗降板の実施形態をそれぞれ示す。
【実施例１】
【００１１】
まず、本実施例１の乗降板を適用する乗客コンベアであるエスカレータについて説明する。図１に示したエスカレータ１の上階側の乗降口２ａには乗降板３ａが機枠８に取り付けられており、また、下階側の乗降口２ｂには乗降板３ｂが機枠８に取り付けられている。乗降板３ａ又は乗降板３ｂのうちの一方の乗降板から他方の乗降板にかけて無端状に連結されて移動する踏段７が配置されている。そして、乗降板３ａの下方には上部機械室４ａが設けられており、乗降板３ｂの下方には下部機械室４ｂが設けられている。そして、このエスカレータ１の保守点検作業を行う際には、作業者が機械室４ａ、４ｂ内に入り込み、モータ５や駆動チェーン６等の機器類の点検を行うことができるように、乗降板３ａ、３ｂが機枠８から取り外すことができるようになっている。
【００１２】
次に、本実施例１の乗降板３ａ、３ｂについて説明する。なお、上階側の乗降口２ａに取り付けられた乗降板３ａ及び下階側の乗降口２ｂに取り付けられた乗降板３ｂは、同一の構造であるので、上階側の乗降口２ａに取り付けられた乗降板３ａについてのみ説明し、乗降口２ｂに取り付けられた乗降板３ｂについては、当該説明を援用する。
【００１３】
図２に示すように、乗降板３ａは、第一乗降板３ｃと第二乗降板３ｄと第三乗降板３ｅとに分割して形成されており、これらが一体となって乗降板３ａが構成されている。第一乗降板３ｃにはコム１１が固定されており、第三乗降板３ｅには表示プレート１２が固定されている。
【００１４】
そして、それぞれの乗降板３ｃ、３ｄ、３ｅは、図３に示すように、その表面を構成する金属板９と突出体１０とを備えており、乗降板３ａは、図２に示すように、金属板９の表面から複数の突出体１０の上面（後述する軟性板１０ａの上面）が図２において上下方向に長く露出する体裁になっている。
【００１５】
前記金属板９は、図４に示すように、打ち抜き部９’を有しており、その打ち抜き部９’から突出体１０が突出するように構成されている。前記突出体１０は、その上部に金属板９に形成した打ち抜き部９’に嵌り込む形状の軟性板１０ａを備えており、前記軟性板１０ａの下方には、軟性板１０ａを昇降させる昇降装置１３が一体となって構成されている。この軟性板１０ａはゴムや合成樹脂等の緩衝性のある軟性材で形成される。
【００１６】
前記昇降装置１３は、磁石板１３ａと電磁石１３ｂと伸張ばねの一種であるコイルスプリング１３ｃとから構成されており、磁石板１３ａは軟性板１０ａの裏面に接着されている。電磁石１３ｂは磁石板１３ａから下方に所定の間隔をあけて不図示の乗降板の機枠等に固定的に取り付けられている。コイルスプリング１３ｃは磁石板１３ａと電磁石１３ｂとの間に垂直方向に伸縮するように配されている。
【００１７】
そして、前記昇降装置１３には、図３及び図５に示すように、その電磁石１３ｂに電流を流すか又は遮断する制御を行う安全装置１４が取り付けられており、電磁石１３ｂと電気的に接続されている。符号ａは配線を示す。そして、電磁石１３ｂに電流が流れているときには、図３に示すように、電磁石１３ｂが磁力を発生し、磁石板１３ａを磁力により吸引してコイルスプリング１３ｃを収縮させ、このコイルスプリング１３ｃの収縮により軟性板１０ａを降下させて、金属板９の上面と軟性板１０ａの上面とが面一の状態となるように作用する。電磁石１３ｂへの電流が遮断されたときには、電磁石１３ｂの磁力が消滅し、電磁石１３ｂは磁石板１３ａに対する吸引力が消滅するので、収縮していたコイルスプリング１３ｃは、図５に示すように、その伸張力により伸張して、突出体１０を押し上げて突出させると共に磁石板１３ａに取り付けられている軟性板１０ａが上昇し、金属板９の上面から突出するように作用する。
【００１８】
また、エスカレータ１は、異常を感知した場合には、不図示の制御装置が作動して、エスカレータ１を緊急停止させると共に制御装置から安全装置１４に信号が送信され、昇降装置１３への電流が遮断されるように構成されている。
【００１９】
上記のように構成したことにより、エスカレータ１が緊急停止したときには、乗降板３ａの表面を構成する金属板９の上面から軟性板１０ａが突出し、エスカレータ１の緊急停止により乗客が転倒して乗客が乗降板３ａに衝突するようなことがあっても、その衝撃が軟性板１０ａにより緩和されるので、乗客の傷害度を軽減することが可能となる。また、エスカレータ１の正常運転時には、軟性板１０ａの上面が金属板９の上面と面一になって表面に露出するので、この軟性板１０ａにより滑り止め効果を果たすことができる。さらに、従来のように、カーペットやマット等の乗降口カバーが不要となるので、乗降口カバーがめくれることによる乗客のつまずきが発生せず、かつ、乗降板本来の美観を維持できる。
【実施例２】
【００２０】
図６及び図７は実施例２に係る上階側の乗降板２３ａの断面図である。本実施例２は実施例１と基本的な構成は同じであるので、同一の符号で示す箇所の説明は、実施例１の説明を援用する。また下階側の乗降板も乗降板２３ａと同一構成である。実施例２の乗降板２３ａと実施例１の乗降板３ａとの異なる点は、突出体の構成を変更したことにある。実施例１においては突出体１０における伸張ばねとしてコイルスプリング１３ｃを使用したが、実施例２においては突出体２０における伸張ばねとして空気ばね１３ｄを使用した。
【００２１】
すなわち、電磁石１３ｂに電流が流れているときには、図６に示すように、電磁石１３ｂが磁力を発生し、磁石板１３ａを磁力により吸引して空気ばね１３ｄが圧縮され、この空気ばね１３ｄの圧縮により軟性板１０ａが降下して、金属板９の上面と軟性板１０ａの上面とが面一の状態となるように作用する。電磁石１３ｂへの電流が遮断されたときには、電磁石１３ｂの磁力が消滅し、電磁石１３ｂは磁石板１３ａに対する吸引力が消滅するので、圧縮されている空気ばね１３ｄが、図７に示すように、その膨張力により上方に伸張して、突出体２０を押し上げて突出させると共に磁石板１３ａに取り付けられている軟性板１０ａが上昇し、金属板９の上面から突出するように作用する。
【００２２】
したがって、本実施例２は、実施例１と同様の効果を果たすことができる。
【実施例３】
【００２３】
図８及び図９は実施例３に係る上階側の乗降板３３ａの断面図である。本実施例３は実施例１と基本的な構成は同じであるので、同一の符号で示す箇所の説明は、実施例１の説明を援用する。また下階側の乗降板も乗降板３３ａと同一構成である。実施例３の乗降板３３ａと実施例１の乗降板３ａとの異なる点は、突出体の構成を変更したことにある。実施例１における突出体１０は、磁石板１３ａと電磁石１３ｂとコイルスプリング１３ｃよりなるものであるが、実施例３における突出体３０は、前記実施例１における突出体１０において磁石板１３ａと電磁石１３ｂとの間に間隔保持梁１３ｅを備えた構成とした。これにより、軟性板１０ａの上面が金属板９の上面より下方に降下することがない。
【００２４】
したがって、本実施例２は、実施例１と同様の効果に加えて、エスカレータ１の正常運転時に、例えば杖を突くなどの外力により軟性板１０ａに対してこれを押し下げるような力が働いても、軟性板１０ａすなわち突出体３０が下降して沈み込むことがないので、安全性がさらに向上する。
【００２５】
なお、上記の各実施例は乗客コンベアとしてエスカレータを例示して説明したが、動く歩道に対しても適用できるものである。
【００２６】
また、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２７】
１…………エスカレータ
２ａ………上階側の乗降口
２ｂ………下階側の乗降口
３ａ………上階側の乗降板
３ｂ………下階側の乗降板
３ｃ………第一乗降板
３ｄ………第二乗降板
３ｅ………第三乗降板
４ａ………上部機械室
４ｂ………下部機械室
５…………モータ
６…………駆動チェーン
７…………踏段
８…………機枠
９…………金属板
９’………打ち抜き部
１０…………突出体
１０ａ………軟性板
１１…………コム
１２…………表示プレート
１３…………昇降装置
１３ａ………磁石板
１３ｂ………電磁石
１３ｃ………コイルスプリング
１４…………安全装置
ａ…………配線
２３ａ………上階側の乗降板
２０…………突出体
１３ｄ………空気ばね
３３ａ………上階側の乗降板
３０…………突出体
１３ｅ………間隔保持梁
【図１】
0005383865.tif 000002
【図２】
0005383865.tif 000003
【図３】
0005383865.tif 000004
【図４】
0005383865.tif 000005
【図５】
0005383865.tif 000006
【図６】
0005383865.tif 000007
【図７】
0005383865.tif 000008
【図８】
0005383865.tif 000009
【図９】
0005383865.tif 000010